(57)【要約】【課題】無線音声通信と無線データ通信とに対応した通信装置等を提供すること。【解決手段】通信システム５は、ＭＦＰネットワークＩＤがＭＦＰ１０に使用され、第１子機１ネットワークＩＤが第１子機１に使用され、モバイル機器４、第１子機１および第２子機２の通信先がＭＦＰネットワークＩＤを使用する装置に設定されることで、第１子機１、第２子機２およびモバイル機器４とＭＦＰ１０との間で無線通信が行われる第１通信状態とされる。通信システム５は、第１子機ネットワークＩＤがＭＦＰ１０に使用され、ＭＦＰ１０ネットワークＩＤが第１子機１に使用され、第２子機２の通信先が第１子機ネットワークＩＤを使用する装置に設定されることで、第２子機２とＭＦＰ１０との間で音声通信が行なわれ、第１子機１とモバイル機器４との間でデータ通信が行われる第２通信状態とされる。第２子機２で音声通信を開始すると、第２通信状態へ切り替えられる。【選択図】図１
2011217063.tif 000002
【特許請求の範囲】
【請求項１】
通信回線に接続された通信装置と第１音声通話機器と第２音声通話機器が無線通信可能に接続されている通信システムであって、
前記通信装置は、
外部装置、前記第１音声通話機器および前記第２音声通話機器との間でのデータ通信および音声通信を行う無線通信部と、
ネットワーク上で前記通信装置を識別するための通信装置ネットワークＩＤと、ネットワーク上で前記第１音声通話機器を識別するための第１音声通話機器ネットワークＩＤとを記憶する通信装置記憶部と、を備え、
前記第１音声通話機器は、前記第１音声通話機器ネットワークＩＤおよび前記通信装置ネットワークＩＤを記憶する第１音声通話機器記憶部を備え、
前記通信システムは、前記通信装置ネットワークＩＤが前記通信装置に使用され、前記第１音声通話機器ネットワークＩＤが前記第１音声通話機器に使用され、前記外部装置、前記第１音声通話機器および前記第２音声通話機器の通信先が前記通信装置ネットワークＩＤを使用する装置に設定されることで、前記第１音声通話機器、前記第２音声通話機器および前記外部装置と前記通信装置の前記無線通信部との間で前記データ通信および前記音声通信が行われる第１通信状態とされ、
前記通信システムは、前記第１音声通話機器ネットワークＩＤが前記通信装置に使用され、前記通信装置ネットワークＩＤが前記第１音声通話機器に使用され、前記第２音声通話機器の通信先が前記第１音声通話機器ネットワークＩＤを使用する装置に設定されることで、前記第２音声通話機器と前記通信装置の前記無線通信部との間で前記音声通信が行なわれると共に、前記第１音声通話機器と前記外部装置との間で前記データ通信が行われる第２通信状態とされ、
前記第１通信状態から前記第２通信状態への切り替えは、前記通信回線からの着信に対して前記第２音声通話機器を用いて前記音声通信を開始することを条件として実行されることを特徴とする通信システム。
【請求項２】
前記通信装置は、該通信装置を制御する通信装置制御部をさらに備え、
前記第１音声通話機器は、該第１音声通話機器を制御する第１音声通話機器制御部をさらに備え、
前記第２音声通話機器は、
該第２音声通話機器を制御する第２音声通話機器制御部と、
前記第１音声通話機器ネットワークＩＤおよび前記通信装置ネットワークＩＤを記憶する第２音声通話機器記憶部と、をさらに備え、
前記通信装置制御部は、前記通信回線からの着信に対して前記第２音声通話機器を用いて前記音声通信を開始することに応じて、前記第１音声通話機器および前記第２音声通話機器に対して通信状態変更指示を送信すると共に、前記第１音声通話機器ネットワークＩＤを前記通信装置記憶部から読み出して前記通信装置に使用し、
前記第１音声通話機器制御部は、前記通信状態変更指示を受信することに応じて、前記通信装置ネットワークＩＤを前記第１音声通話機器記憶部から読み出して前記第１音声通話機器に使用し、
前記第２音声通話機器制御部は、前記通信状態変更指示を受信することに応じて、前記第１音声通話機器ネットワークＩＤを前記第２音声通話機器記憶部から読み出して前記第２音声通話機器の通信先に設定することを特徴とする請求項１に記載の通信システム。
【請求項３】
前記通信装置制御部は、前記第２音声通話機器での前記音声通信の終了を検出することに応じて、前記第１音声通話機器に対して通信状態復帰指示を送信すると共に、前記通信装置ネットワークＩＤを前記通信装置記憶部から読み出して前記通信装置に使用し、
前記第１音声通話機器制御部は、前記通信状態復帰指示を受信することに応じて、前記第１音声通話機器ネットワークＩＤを前記第１音声通話機器記憶部から読み出して前記第１音声通話機器に使用し、
前記第２音声通話機器制御部は、前記通信状態復帰指示を受信することに応じて、前記通信装置ネットワークＩＤを前記第２音声通話機器記憶部から読み出して前記第２音声通話機器の通信先に設定することを特徴とする請求項２に記載の通信システム。
【請求項４】
前記第１音声通話機器制御部は、無線端末間を接続する電波中継機器から送出される電波の電波強度を測定し、前記電波強度が予め定められた電波強度閾値よりも大きい場合には通信状態変更許可信号を前記通信装置へ報知し、
前記通信装置制御部は、前記通信回線からの着信に対して前記第２音声通話機器を用いて前記音声通信を開始した場合に、前記通信状態変更許可信号の報知を受けている場合には、前記通信状態変更指示を送信することを特徴とする請求項２または３に記載の通信システム。
【請求項５】
前記通信装置制御部は、前記第１音声通話機器ネットワークＩＤを前記通信装置に使用した後に、前記第２音声通話機器に対してテスト信号を送信し、
前記第２音声通話機器制御部は、前記テスト信号を受信した場合には、前記第１音声通話機器ネットワークＩＤで特定される装置に対して返信信号を送信し、
前記通信装置制御部は、前記返信信号を受信した場合には前記通信装置の前記無線通信部と前記第２音声通話機器との間での前記音声通信を開始し、所定時間内に前記返信信号を受信しない場合には前記第１通信状態へ戻すことを特徴とする請求項２に記載の通信システム。
【請求項６】
通信回線に接続され、第１音声通話機器、第２音声通話機器と無線通信可能に接続されている通信装置であって、
前記通信装置は、
外部装置、前記第１音声通話機器および前記第２音声通話機器との間でのデータ通信および音声通信を行う無線通信部と、
ネットワーク上で前記通信装置を識別するための通信装置ネットワークＩＤと、ネットワーク上で前記第１音声通話機器を識別するための第１音声通話機器ネットワークＩＤとを記憶する通信装置記憶部と、
前記通信装置ネットワークＩＤと前記第１音声通話機器ネットワークＩＤとの一方を選択して前記通信装置のネットワークＩＤとして設定することが可能な通信装置制御部と、を備え、
前記通信装置制御部により前記通信装置ネットワークＩＤが前記通信装置のネットワークＩＤとして設定されることで、前記第１音声通話機器、前記第２音声通話機器および前記外部装置と前記無線通信部との間で前記データ通信および前記音声通信が行われる第１通信状態とされ、
前記通信装置制御部により前記第１音声通話機器ネットワークＩＤが前記通信装置のネットワークＩＤとして設定されると共に、前記無線通信部により前記第２音声通話機器の通信先を前記第１音声通話機器ネットワークＩＤを使用する装置に設定する旨の命令が前記第２音声通話機器へ送信されることで、前記第２音声通話機器と前記無線通信部との間で前記音声通信が行なわれる第２通信状態とされ、
前記通信装置制御部は、前記第１通信状態から前記第２通信状態への切り替えを、前記通信回線からの着信に対する応答信号を前記第１音声通話機器または前記第２音声通話機器から受信することを条件として実行することを特徴とする通信装置。
【請求項７】
通信回線に接続された通信装置と無線通信可能な音声通話機器であって、
前記音声通話機器は、
ネットワーク上で前記音声通話機器を識別するための音声通話機器ネットワークＩＤ、および、ネットワーク上で前記通信装置を識別するための通信装置ネットワークＩＤを記憶する音声通話機器記憶部と、
前記通信装置ネットワークＩＤと前記音声通話機器ネットワークＩＤとの一方を選択して前記音声通話機器のネットワークＩＤとして設定することが可能な音声通話機器制御部と、を備え、
前記音声通話機器制御部により前記音声通話機器ネットワークＩＤが前記音声通話機器のネットワークＩＤとして設定されることで、前記音声通話機器と前記通信装置の前記無線通信部との間で前記音声通信が行われる第１通信状態とされ、
前記音声通話機器制御部により前記通信装置ネットワークＩＤが前記音声通話機器のネットワークＩＤとして設定されることで、前記通信装置ネットワークＩＤが設定されている装置と通信を行う外部装置と前記音声通話機器との間でデータ通信が行われる第２通信状態とされ、
前記音声通話機器制御部は、  前記第１通信状態から前記第２通信状態への切り替えを、前記通信装置から通信切り替え要求を受信することを条件として実行することを特徴とする音声通話機器。
【発明の詳細な説明】
【技術分野】
【０００１】
本願は、無線音声通信と無線データ通信とに対応した通信システム、通信装置および音声通話機器に関する。
【背景技術】
【０００２】
複数の無線端末装置のうちの１つが制御局としてネットワークを生成し、他の無線端末装置が子局としてネットワークに参加する技術が知られている。更に、既に制御局として動作している端末が、その制御局としての役割を他の子局と交替する技術が知られている。制御局の交替時には、周期的に送出しているビーコンフレーム中に、「制御局の交替が発生すること」、「新しい制御局」、「制御局の交替が発生するタイミング」を情報として配置させ、ネットワーク内の全ての端末に通知する。
【先行技術文献】
【特許文献】
【０００３】
【特許文献１】特開２００６−３３３３６０号公報
【発明の概要】
【発明が解決しようとする課題】
【０００４】
従来は、ネットワーク内の全ての端末が、制御局の切り替えを行う必要がある。すると、切り替え制御が複雑になるため、切り替え動作の時間が長くなる場合や、切り替え処理の負担が増大する場合がある。本明細書では、このような不便性を解消することができる技術を提供する。
【課題を解決するための手段】
【０００５】
本願の通信システムは、通信回線に接続された通信装置と第１音声通話機器と第２音声通話機器が無線通信可能に接続されている通信システムである。通信装置は、外部装置、第１音声通話機器および第２音声通話機器との間でのデータ通信および音声通信を行う無線通信部と、ネットワーク上で通信装置を識別するための通信装置ネットワークＩＤと、ネットワーク上で第１音声通話機器を識別するための第１音声通話機器ネットワークＩＤとを記憶する通信装置記憶部と、を備える。第１音声通話機器は、第１音声通話機器ネットワークＩＤおよび通信装置ネットワークＩＤを記憶する第１音声通話機器記憶部を備える。通信システムは、通信装置ネットワークＩＤが通信装置に使用され、第１音声通話機器ネットワークＩＤが第１音声通話機器に使用され、外部装置、第１音声通話機器および第２音声通話機器の通信先が通信装置ネットワークＩＤを使用する装置に設定されることで、第１音声通話機器、第２音声通話機器および外部装置と通信装置の無線通信部との間でデータ通信および音声通信が行われる第１通信状態とされる。通信システムは、第１音声通話機器ネットワークＩＤが通信装置に使用され、通信装置ネットワークＩＤが第１音声通話機器に使用され、第２音声通話機器の通信先が第１音声通話機器ネットワークＩＤを使用する装置に設定されることで、第２音声通話機器と通信装置の無線通信部との間で音声通信が行なわれると共に、第１音声通話機器と外部装置との間でデータ通信が行われる第２通信状態とされる。第１通信状態から第２通信状態への切り替えは、通信回線からの着信に対して第２音声通話機器を用いて音声通信を開始することを条件として実行されることを特徴とする。
【発明の効果】
【０００６】
通信装置の例としては、電話機能やＦＡＸ機能を備えた多機能機が挙げられる。音声通話機器は、音声信号の送受信を行う機器である。音声通話機器の例としては、無線電話子機が挙げられる。外部装置の一例としては、アクセスポイントや、パーソナルコンピュータ（ＰＣ）や、多機能機などが挙げられる。また、外部装置がアクセスポイントである場合には、さらにアクセスポイントを介して、他の無線端末と通信することが可能である。データ通信は、エラー時に再送されるデータ信号の通信であり、リアルタイム性が要求されない通信である。音声通信は、エラー時に再送されない音声信号の通信であり、リアルタイム性が必要な通信である。
【０００７】
通信装置ネットワークＩＤは、ネットワーク上で通信装置を識別するための情報である。また、第１音声通話機器ネットワークＩＤは、ネットワーク上で第１音声通話機器を識別するための情報である。通信装置ネットワークＩＤや第１音声通話機器ネットワークＩＤとの一例としては、ＭＡＣアドレスやＩＰアドレスが挙げられる。通信装置記憶部や第１音声通話機器記憶部には、第１音声通話機器ネットワークＩＤおよび通信装置ネットワークＩＤが記憶される。これらの情報を記憶するタイミングは、通信装置と第１音声通話機器がセットで工場出荷されるタイミングであってもよい。通信装置記憶部や第１音声通話機器記憶部の一例としては、ＥＥＰＲＯＭ（Electrically Erasable and Programmable ROM）が挙げられる。
【０００８】
通信システムは、第１通信状態と第２通信状態との間で切り替え可能とされる。第１通信状態は、ネットワークＩＤが正しい対応関係とされている状態である。すなわち、通信装置ネットワークＩＤが通信装置に使用されると共に、第１音声通話機器ネットワークＩＤが第１音声通話機器に使用される。よって、通信装置がネットワーク上において通信装置として認識されると共に、第１音声通話機器がネットワーク上において第１音声通話機器として認識される。
【０００９】
第１通信状態では、第１音声通話機器、第２音声通話機器および外部装置と、通信装置の無線通信部との間で、データ通信および音声通信が行われる。すなわち、１の無線通信部によって、第１音声通話機器および第２音声通話機器による音声通信と、外部装置によるデータ通信との２種類の通信を行うことが可能となる。また、音声通信とデータ通信とは、同時に使用可能とされる。同時に使用する方法の例としては、音声通信とデータ通信との間で、同一周波数の電波を短時間ずつ交代で共有する方法が挙げられる。無線通信部によって音声通信とデータ通信を行う方法としては、例えば、Intel（登録商標）が提唱する、My WiFi Technologyの機能を用いる方法が挙げられる。また、Wi-Fi Allianceが提唱する、Wi-Fi Directの機能を用いる方法が挙げられる。
【００１０】
第２通信状態は、ネットワークＩＤを入れ換えた状態である。すなわち、第１音声通話機器ネットワークＩＤが通信装置に使用されると共に、通信装置ネットワークＩＤが第１音声通話機器に使用される。よって、通信装置がネットワーク上において第１音声通話機器として認識されると共に、第１音声通話機器がネットワーク上において通信装置として認識される。また、第２音声通話機器の通信先が第１音声通話機器ネットワークＩＤを使用する装置に設定される。
【００１１】
第１通信状態から第２通信状態へ切り替えられる場合を説明する。第２通信状態においても、外部装置は、通信装置ネットワークＩＤを使用する装置とのデータ通信を維持する。しかし、第２通信状態では、通信装置ネットワークＩＤを使用する装置は、通信装置ではなく、第１音声通話機器である。よって、外部装置のデータ通信先が、通信装置から第１音声通話機器へ切り替えられる。また、第２通信状態において、第２音声通話機器は、第１音声通話機器ネットワークＩＤを使用する装置との音声通信を行う。しかし、第２通信状態では、第１音声通話機器ネットワークＩＤを使用する装置は、第１音声通話機器ではなく、通信装置である。よって、第２音声通話機器の音声通信先が、通信装置で維持される。
【００１２】
音声通信はリアルタイム性が要求されるため、データ通信に比して負荷が重い通信である。よって、通信装置の無線通信部を用いて、第２音声通話機器との音声通信と、外部装置とのデータ通信とを同時に行うと、無線回線の負荷が重くなるため、音声が途切れるなどの通信エラーが発生したり、通信速度が低下する場合がある。
【００１３】
しかし、本願の通信システムでは、通信回線からの着信に対して第２音声通話機器を用いて音声通信を開始することを条件として第２通信状態へ移行する。第２通信状態では、第２音声通話機器と通信装置の無線通信部との間で、音声通信が行なわれる。また、第１音声通話機器と外部装置との間で、データ通信が行われる。よって、音声通信とデータ通信とを切り離すことができ、通信装置の無線通信部の負荷を減らすことができるため、通信エラー等の発生を防止できる。
【００１４】
そして、本願の通信システムでは、通信状態の切り替え時に、外部装置に対して、「通信先の交替が発生すること」、「新しい通信先」、「通信先の交替が発生するタイミング」等の情報を報知する必要がない。よって、通信状態の切り替えのための特別な処理を外部装置に行なわせることがないため、切り替え制御を簡素化することができる。これにより、切り替え動作の時間が長くなることや、切り替え処理の負担が増大することを防止することが可能となる。
【図面の簡単な説明】
【００１５】
【図１】通信システムの構成の一例を示す図である。
【図２】ＭＦＰで行われる通信状態確認動作のフローチャート（その１）である。
【図３】子機で行われる代替可否の確認動作のフローチャート（その２）である。
【図４】ＭＦＰで行われる通信状態切り替えのフローチャート（その１）である。
【図５】ＭＦＰで行われる通信状態切り替えのフローチャート（その２）である。
【図６】子機で行われる通信状態切り替えのフローチャート（その１）である。
【図７】子機で行われる通信状態切り替えのフローチャート（その２）である。
【図８】子機で行われる通信状態切り替えのフローチャート（その３）である。
【図９】第１通信状態の模式図である。
【図１０】第２通信状態の模式図である。
【図１１】通信システムの動作の具体例を説明するシーケンス図（その１）である。
【図１２】通信システムの動作の具体例を説明するシーケンス図（その２）である。
【発明を実施するための形態】
【００１６】
図１に、本願に係る第１実施形態として例示される通信システム５のブロック図を示す。通信システム５は、ＭＦＰ（Multi Function Printer）１０、アクセスポイント（以下「ＡＰ」と称す）５１、ＰＣ（Personal Computer）５２、第１子機１および第２子機２、モバイル機器４を備える。ＭＦＰ１０によってＷＰＡＮ（WirelessPersonal Area Network）２０１、ＷＬＡＮ（Wireless Local Area Network）２０２が形成されている。尚、ＷＰＡＮ２０１およびＷＬＡＮ２０２の方式の例としては、例えばＩＥＥＥ８０２．１１ａ／ｂ／ｇの規格で定められる通信方式が挙げられる。
【００１７】
ＡＰ５１は、ＷＬＡＮ２０２によりデータ信号の通信が可能に構成された、既知の中継装置である。データ信号は、通信エラー時に再送が行われる信号である。データ信号の例としては、ＭＦＰ１０で印刷を行なうための印刷データが挙げられる。またＡＰ５１は、ＰＣ５２との間でデータ信号の通信が可能とされている。よって、ＡＰ５１を介して、ＭＦＰ１０とＰＣ５２との間でデータ信号の通信が可能とされている。またＡＰ５１は、インターネット５３に接続されている。
【００１８】
第１子機１は、ＷＰＡＮ２０１により、音声信号の無線通信２１１を行う装置である。第２子機２は、ＷＰＡＮ２０１により、音声信号の無線通信２１２を行う装置である。音声信号は、音声通話を行うための信号である。音声信号は、通信エラー時に再送が行われない信号であり、リアルタイム性が必要な信号である。
【００１９】
モバイル機器４は、ＷＰＡＮ２０１により、データ信号の無線通信２１３を行う既知の装置である。また、ＭＦＰ１０は、ルーティング装置（通信システム５内で情報送信経路を選択するための装置）の機能を有している。よって、モバイル機器４は、ＭＦＰ１０からＡＰ５１を経由して、インターネット５３に接続可能とされる。
【００２０】
ＭＦＰ１０の構成について説明する。ＭＦＰ１０は、ＣＰＵ１６、記憶部３２、無線通信制御回路１１、音声ＩＣ１４（ＣＯＤＥＣ）、モデム部１５、内蔵受話器１７、操作部２２、表示部２４、印刷部２６、スキャナ部２８、を備える。これらの構成要素は、互いに通信可能に接続されている。ＣＰＵ１６は、記憶部３２に記憶されているプログラム４２に従って、様々な処理を実行する。またＣＰＵ１６は、記憶部３２、無線通信制御回路１１、音声ＩＣ１４等に関する各種の制御を行う。
【００２１】
記憶部３２は、プログラム４２を記憶する。プログラム４２は、基本プログラム（図示省略）、ネットワーク構築プログラム４４等を含む。基本プログラムは、印刷部２６に印刷を実行させるためのプログラム、スキャナ部２８にスキャンを実行させるためのプログラム等を含む。またネットワーク構築プログラム４４は、第１通信状態と第２通信状態とで切り替えを行うためのプログラムである。
【００２２】
記憶部３２は、ＲＡＭ、ＲＯＭ、フラッシュメモリ、ＨＤＤ（Hard Disk Drive）などが組み合わされて構成されている。記憶部３２は、設定記憶領域３９、ネットワークＩＤ記憶領域４０、ネットワーク設定記憶領域４１を備える。設定記憶領域３９は、各種の設定を記憶する領域である。
【００２３】
ネットワークＩＤ記憶領域４０は、ＭＦＰネットワークＩＤ３００、第１子機ネットワークＩＤ３０１、第２子機ネットワークＩＤ３０２を記憶する。ＭＦＰネットワークＩＤ３００は、ネットワーク上でＭＦＰ１０を識別するための情報である。ＭＦＰネットワークＩＤ３００は、ＭＦＰ−ＭＡＣアドレスおよびＭＦＰ−ＩＰアドレスを含んでいる。また、第１子機ネットワークＩＤ３０１は、ネットワーク上で第１子機１を識別するための情報である。第１子機ネットワークＩＤ３０１は、第１子機ＭＡＣアドレスおよび第１子機ＩＰアドレスを含んでいる。同様に、第２子機ネットワークＩＤ３０２は、ネットワーク上で第２子機２を識別するための情報である。第２子機ネットワークＩＤ３０２は、第２子機ＭＡＣアドレスおよび第２子機ＩＰアドレスを含んでいる。ネットワーク設定記憶領域４１は、ＭＦＰ１０の識別子を記憶する領域である。ネットワーク設定記憶領域４１にＭＦＰネットワークＩＤ３００を記憶させると、ＭＦＰ１０は、通信システム５上の他の装置からＭＦＰ１０として認識される。一方、ネットワーク設定記憶領域４１に第１子機ネットワークＩＤ３０１を記憶させると、ＭＦＰ１０は、通信システム５上の他の装置から第１子機１として認識される。
【００２４】
無線通信制御回路１１は、ベースバンド処理部ＢＰ１、ＲＦ部１８、アンテナＡＮＴ１を備える。ベースバンド処理部ＢＰ１は、無線通信制御回路１１全体を制御する回路である。ＲＦ部１８は、アンテナＡＮＴ１との間で信号の送受信を行う回路である。音声ＩＣ１４（ＣＯＤＥＣ）は、データのエンコード（符号化）とデコード（復号）を行う。また音声ＩＣ１４は、モデム部１５または内蔵受話器１７の何れを電話回線網１００に接続するかを選択する。モデム部１５は、電話回線網１００との音声信号の送受信を制御する。操作部２２は、ユーザの入力操作を受け付ける複数のボタンを備える。表示部２４は、様々な情報を表示する。スキャナ部２８は、文書等を読取ってスキャンデータを生成する。印刷部２６は、外部装置（例えばＰＣ５２）から受信した印刷データや、スキャナ部２８によって生成されたスキャンデータを印刷媒体に印刷する。
【００２５】
第１子機１の構成について説明する。第１子機１は、ＣＰＵ７６、ベースバンド処理部ＢＰ２、ＲＦ部７８、スピーカ部７９、マイク部８０、記憶部８２、アンテナＡＮＴ２を備える。ＣＰＵ７６は、記憶部８２、ベースバンド処理部ＢＰ２等に関する各種の制御を行う。記憶部８２は、設定記憶領域８３、ネットワークＩＤ記憶領域８４、ネットワーク設定記憶領域８５、通信先装置設定領域８６を備える。設定記憶領域８３は、データ受信フラグ等の各種のパラメータを記憶する。ネットワークＩＤ記憶領域８４は、ＭＦＰネットワークＩＤ３００、第１子機ネットワークＩＤ３０１、第２子機ネットワークＩＤ３０２を記憶する。ネットワーク設定記憶領域８５は、第１子機１の識別子を記憶する領域である。ネットワーク設定記憶領域８５に第１子機ネットワークＩＤ３０１を記憶させると、第１子機１は、通信システム５上の他の装置から第１子機１として認識される。一方、ネットワーク設定記憶領域８５にＭＦＰネットワークＩＤ３００を記憶させると、第１子機１は、通信システム５上の他の装置からＭＦＰ１０として認識される。通信先装置設定領域８６は、第１子機１の通信先とされる機器のネットワークＩＤを記憶する領域である。第１子機１が通信システム５上のどの装置と通信を行うかは、通信先装置設定領域８６に書き込まれたネットワークＩＤによって決定される。スピーカ部７９は、無線通信制御回路１１から受信した音声データを出力する装置である。マイク部８０は、音声データを取得する装置である。その他の構成は、ＭＦＰ１０と同様であるため、ここでは詳細な説明は省略する。
【００２６】
第２子機２の構成について説明する。第２子機２は、ＣＰＵ７６ａ、ベースバンド処理部ＢＰ２ａ、ＲＦ部７８ａ、スピーカ部７９ａ、マイク部８０ａ、記憶部８２ａ、アンテナＡＮＴ２ａを備える。また、記憶部８２ａは、設定記憶領域８３ａ、ネットワークＩＤ記憶領域８４ａ、ネットワーク設定記憶領域８５ａ、通信先装置設定領域８６ａを備える。なお、第２子機２の構成は、第１子機１と同様であるため、ここでは詳細な説明は省略する。
【００２７】
通信システム５は、第１通信状態と第２通信状態との２つの通信状態を備えている。第１通信状態は、ＭＦＰ１０がルーティング装置となる状態である。一方、第２通信状態は、第１子機１または第２子機２がルーティング装置となる状態である。第１通信状態を、図９を用いて説明する。第１通信状態では、ＭＦＰネットワークＩＤ３００がＭＦＰ１０の識別子に使用される。よって、ＭＦＰ１０が通信システム５上においてＭＦＰ１０として認識される。また、第１子機ネットワークＩＤ３０１が第１子機の識別子に使用される。よって、第１子機１が通信システム５上において第１子機１として認識される。また、第２子機２の通信先が、ＭＦＰネットワークＩＤ３００を識別子とする装置に設定される。
【００２８】
そして第１通信状態では、無線通信制御回路１１によって、ＷＰＡＮ２０１およびＷＬＡＮ２０２が構築される。ＷＰＡＮ２０１には、複数の通信端末（第１子機１、第２子機２、モバイル機器４）が接続されている。ＷＰＡＮ２０１により、無線通信制御回路１１と第１子機１との間で、音声信号の無線通信２１１が行われる。また、無線通信制御回路１１と第２子機２との間で、音声信号の無線通信２１２が行われる。また、無線通信制御回路１１とモバイル機器４との間で、データ信号の無線通信２１３が行われる。無線通信２１１ないし２１３は、同時に通信可能とされている。ＷＬＡＮ２０２には、ＡＰ５１が接続されている。ＷＬＡＮ２０２により、無線通信制御回路１１とＡＰ５１との間で、データ信号の無線通信２２１が行われる。すなわち第１通信状態では、１の無線通信制御回路１１によって、第１子機１および第２子機２による音声通信と、モバイル機器４によるデータ通信との２種類の通信を行うことが可能とされている。
【００２９】
ＷＰＡＮ２０１およびＷＬＡＮ２０２は、同時に使用可能とされている。同時に使用する方法の例としては、時分割多元接続（ＴＤＭＡ: Time Division Multiple Access）を用いる方法が挙げられる。ＴＤＭＡでは、伝送に用いる搬送周波数をタイムスロットと呼ばれる単位で分割して、同一周波数において複数の通信を可能にする。本願の例では、タイムスロットを、ＷＰＡＮ２０１およびＷＬＡＮ２０２に割り当てることで、多元接続が行われる。なお、この場合の「同時に使用可能」とは、ＷＰＡＮ２０１の通信とＷＬＡＮ２０２の通信が、同時期に並存して実行可能であるという意味である。ＷＰＡＮ２０１から送信されてくるパケットと、ＷＬＡＮ２０２から送信されてくるパケットとが、同一時間に受信可能であるという意味に限定されることはない。
【００３０】
無線通信制御回路１１を、ＷＰＡＮ２０１を構築する回路として機能させる方法としては、例えば、Wi-Fi Allianceが提唱する、Wi-Fi Directの機能を用いる方法が挙げられる。これにより、無線通信制御回路１１がWiFi Directのサーバの役割を行う。また、Intel（登録商標）が提唱する、My WiFi Technologyの機能を用いる方法が挙げられる。
【００３１】
またＷＰＡＮ２０１では、ＷＰＡＮ２０１での通信が可能な通信エリア内に、接続可能な無線通信機器が存在するか否かが監視される。そして、接続可能な無線通信機器が新たに検出されると、無線通信を用いて接続を行うことで、動的にネットワークが構築される。なお、第１子機１および第２子機２については、常にＷＰＡＮ２０１に接続される形態としてもよい。これにより、ユーザに動的なネットワークの存在を意識させることがない。よってユーザは、第１子機１および第２子機２を、通常のコードレス電話と同じ感覚で使用することが可能となる。
【００３２】
第２通信状態を、図１０を用いて説明する。例として、第１子機１がルーティング装置とされる場合を説明する。第２通信状態では、ＭＦＰ１０と第１子機１とで、識別子に使用されるネットワークＩＤが入れ換えられる。具体的には、第１子機ネットワークＩＤ３０１がＭＦＰ１０の識別子に使用される。また、ＭＦＰネットワークＩＤ３００が第１子機１の識別子に使用される。また、第２子機２の通信先が、第１子機ネットワークＩＤ３０１を識別子とする装置に設定される。よって、ＭＦＰ１０が通信システム５上において第１子機１として認識され、第１子機１が通信システム５上においてＭＦＰ１０として認識される。
【００３３】
第１通信状態から第２通信状態へ切り替えられる場合を説明する。第２通信状態においても、モバイル機器４およびＡＰ５１は、ＭＦＰネットワークＩＤ３００を識別子に使用する装置とのデータ通信を維持する。しかし、第２通信状態では、ＭＦＰネットワークＩＤ３００を識別子に使用する装置は、ＭＦＰ１０ではなく、第１子機１である。よって、モバイル機器４のデータ通信先が、ＭＦＰ１０（無線通信２１３）から第１子機１（無線通信２１４）へ切り替えられる。また、ＡＰ５１のデータ通信先が、ＭＦＰ１０（無線通信２２１）から第１子機１（無線通信２２２）へ切り替えられる。また、第２通信状態において、第２子機２は、第１子機ネットワークＩＤ３０１を識別子に使用する装置との音声通信を行う。しかし、第２通信状態では、第１子機ネットワークＩＤ３０１を識別子に使用する装置は、第１子機１ではなく、ＭＦＰ１０である。よって、第２子機２の音声通信先が、ＭＦＰ１０（無線通信２１２）で維持される。
【００３４】
以上より、第２通信状態（図１０）では、無線通信制御回路１１と第２子機２との間で、音声信号の無線通信２１２が行われる。また、第１子機１とモバイル機器４との間で、データ信号の無線通信２１４が行われる。また、第１子機１とＡＰ５１との間で、データ信号の無線通信２２２が行われる。よって、第２通信状態では、音声通信（無線通信２１２）とデータ通信（無線通信２１４）とを切り離すことができる。
【００３５】
なお、第２通信状態において、第２子機２がルーティング装置とされる場合もある。この場合は、図１０において、第１子機１と第２子機２を入れ換えればよい。すなわち、無線通信制御回路１１と第１子機１との間で、音声信号の無線通信が行われる。また、第２子機２とモバイル機器４との間で、データ信号の無線通信が行われる。また、第２子機２とＡＰ５１との間で、データ信号の無線通信が行われる。
【００３６】
ＭＦＰ１０で行われる、通信状態確認動作を、図２のフローを用いて説明する。図２のフローは、ＭＦＰ１０の電源が投入されることに応じて開始される。Ｓ１１において、ＣＰＵ１６は、ＷＬＡＮ２０２において、ＡＰ５１との無線通信２２１で使用されているＳＳＩＤ（Service Set Identifier）およびチャンネル情報を確認し、設定記憶領域３９に記憶する。また、ＣＰＵ１６は、ＷＰＡＮ２０１において、第１子機１および第２子機２以外の無線端末との無線通信で使用されているＳＳＩＤおよびチャンネル情報を確認し、設定記憶領域３９に記憶する。本実施形態の説明例（図１）では、ＣＰＵ１６は、モバイル機器４との無線通信２１３で使用されているＳＳＩＤおよびチャンネル情報を確認する。
【００３７】
Ｓ１３において、ＣＰＵ１６は、確認したＳＳＩＤおよびチャンネル情報を、第１子機１および第２子機２に送信する。Ｓ１５において、ＣＰＵ１６は、一定時間Ｗａｉｔする。Ｓ１７において、ＣＰＵ１６は、無線通信２２１および２１３で使用されているＳＳＩＤおよびチャンネル情報を、再確認する。Ｓ１９において、ＣＰＵ１６は、再確認したＳＳＩＤが設定記憶領域３９に記憶されているＳＳＩＤに対して変化しているか否か、および、再確認したチャンネル情報が設定記憶領域３９に記憶されているチャンネル情報に対して変化しているか否かを判断する。ＳＳＩＤとチャンネル情報少なくとも一方が変化している場合（Ｓ１９：ＹＥＳ）にはＳ１３へ戻り、再確認したＳＳＩＤおよびチャンネル情報を第１子機１および第２子機２へ送信する。一方、どちらも変化していない場合（Ｓ１９：ＮＯ）にはＳ１５へ戻り、一定時間Ｗａｉｔする。これにより、ＳＳＩＤまたはチャンネル情報に変化があるか否かが、ＭＦＰ１０によって常に監視される。なお、ＳＳＩＤおよびチャンネル情報は、無線通信制御回路１１からブロードキャストされるビーコンによって、第１子機１および第２子機２へ送信されるとしてもよい。
【００３８】
第１子機１および第２子機２で行われる、代替可否の確認動作を、図３のフローを用いて説明する。例として、第１子機１での動作を説明する。Ｓ３１において、ＣＰＵ７６は、ＭＦＰ１０から受信したＳＳＩＤおよびチャンネル情報を、設定記憶領域８３に保存する。Ｓ３３において、ＣＰＵ７６は、ＡＰ５１−第１子機１間の電波強度およびモバイル機器４−第１子機１間の電波強度を測定し、設定記憶領域８３に記憶する。
【００３９】
Ｓ３５において、ＣＰＵ７６は、ＡＰ５１−第１子機１間の電波強度およびモバイル機器４−第１子機１間の電波強度の両方が、電波強度閾値以上であるか否かを判断する。これらの電波強度が電波強度閾値以上である場合（Ｓ３５：ＹＥＳ）には、第２通信状態において、第１子機１とＡＰ５１との無線通信２２２、および、第１子機１とモバイル機器４との無線通信２１４を良好に行うことができる場合であると判断される。そしてＳ３７へ進む。なお、電波強度閾値は、ユーザ等によって予め設定され、設定記憶領域８３に記憶されているとしてもよい。
【００４０】
Ｓ３７において、ＣＰＵ７６は、設定記憶領域８３に記憶されている代替権ビットを「１」にする。代替権ビットは、第１子機１がＭＦＰ１０に代替してルーティング装置となれるか否かを表す信号である。代替権ビットが「１」のときは代替可能を表し、「０」のときは代替不可を表している。そしてＳ４１へ進む。
【００４１】
一方、Ｓ３５において、ＡＰ５１−第１子機１間の電波強度またはモバイル機器４−第１子機１間の電波強度の少なくとも一方が電波強度閾値以上ではない場合（Ｓ３５：ＮＯ）には、Ｓ３９へ進む。Ｓ３９において、ＣＰＵ７６は、代替権ビットを「０」にする。そしてＳ４１へ進む。
【００４２】
Ｓ４１において、ＣＰＵ７６は、一定時間Ｗａｉｔする。Ｓ４３において、ＣＰＵ７６は、ＳＳＩＤおよびチャンネル情報を、新たにＭＦＰ１０から受信したか否かを判断する。受信した場合（Ｓ４３：ＹＥＳ）にはＳ３１へ戻り、受信していない場合（Ｓ４３：ＮＯ）にはＳ３３へ戻る。以上より、図２および図３のフローによって、第１子機１がルーティング装置としてＭＦＰ１０を代替できる状況か否かが常に監視される。なお、第２子機２における代替可否の確認動作は、図３のフローにおいて第１子機１を第２子機２と読み替えればよいため、ここでは詳細な説明は省略する。
【００４３】
ＭＦＰ１０で行われる、第１通信状態と第２通信状態との切り替え動作を、図４および図５のフローを用いて説明する。Ｓ５１において、ＣＰＵ１６は、電話回線網１００から音声通話が着信したか否かを判断する。着信していない場合（Ｓ５１：ＮＯ）にはＳ５１へ戻り待機し、着信した場合（Ｓ５１：ＹＥＳ）にはＳ５３へ進む。Ｓ５３において、ＣＰＵ１６は、第１子機１および第２子機２を鳴動させる。
【００４４】
Ｓ５５において、ＣＰＵ１６は、第１子機１でユーザが電話に出るか否かを判断する。第１子機１で電話に出る場合（Ｓ５５：ＹＥＳ）には、第２子機２をルーティング装置にすることができるかを確認するために、Ｓ５７へ進む。
【００４５】
Ｓ５７において、ＣＰＵ１６は、第２子機２の代替権ビットが「１」であるか否かを判断する。代替権ビットが「１」ではない場合（Ｓ５７：ＮＯ）には、第２子機２をルーティング装置にすることができない場合と判断され、Ｓ６１へ進む。Ｓ６１において、ＣＰＵ１６は、通信状態を第１通信状態で維持する。よって、ＭＦＰ１０がルーティング装置として機能する状態が継続される。そしてフローが終了する。
【００４６】
一方、Ｓ５７において、代替権ビットが「１」の場合（Ｓ５７：ＹＥＳ）には、第２子機２をルーティング装置にすることができる場合であると判断され、Ｓ５９へ進む。Ｓ５９において、ＣＰＵ１６は、第１子機１および第２子機２に対して、ルーティング装置をＭＦＰ１０から第２子機２へ変更する旨の通信状態変更指示を通知する。そしてＳ７１へ進む。
【００４７】
また、Ｓ５５において、第２子機２でユーザが電話に出る場合（Ｓ５５：ＮＯ）には、第１子機１をルーティング装置にすることができるかを確認するために、Ｓ６５へ進む。Ｓ６５において、ＣＰＵ１６は、第１子機１の代替権ビットが「１」であるか否かを判断する。代替権ビットが「１」ではない場合（Ｓ６５：ＮＯ）には、第１子機１をルーティング装置にすることができない場合と判断され、Ｓ６１へ進む。一方、代替権ビットが「１」である場合（Ｓ６５：ＹＥＳ）には、第１子機１をルーティング装置にすることができる場合であると判断され、Ｓ６７へ進む。Ｓ６７において、ＣＰＵ１６は、第１子機１および第２子機２に対して、ルーティング装置をＭＦＰ１０から第１子機１へ変更する旨の通信状態変更指示を通知する。そしてＳ７１へ進む。なお、通信状態変更指示は、例えば、無線通信制御回路１１からブロードキャストされるビーコンによって送信されるとしてもよい。
【００４８】
Ｓ７１において、ＣＰＵ１６は、第１子機１および第２子機２からルーティング装置の交替可の回答を受信したか否かを判断する。受信していない場合（Ｓ７１：ＮＯ）にはＳ７１へ戻り待機し、受信した場合（Ｓ７１：ＹＥＳ）にはＳ７３へ進む。
【００４９】
Ｓ７３において、ＣＰＵ１６は、ルーティング装置となる子機の子機ネットワークＩＤをネットワークＩＤ記憶領域４０から読み出す。そして、ネットワーク設定記憶領域４１に記憶されているＭＦＰネットワークＩＤ３００を、読み出した子機ネットワークＩＤに書き換える。これにより、第１通信状態（図９）から第２通信状態（図１０）へ切り替えられる。以上より、第１子機１または第２子機２を用いて音声通信を開始することを条件として、第１通信状態から第２通信状態へ切り替えることが可能となる。
【００５０】
Ｓ７５において、ＣＰＵ１６は、第１子機１および第２子機２に対して、簡易的なテスト信号を送信する。テスト信号の一例としては、Ｐｉｎｇ信号が挙げられる。
【００５１】
Ｓ７７において、ＣＰＵ１６は、テスト信号に対する返信信号が、第１子機１および第２子機２から所定時間内に送信されてくるか否かを判断する。所定時間内に返信信号が返信されてこない場合（Ｓ７７：ＮＯ）には、第２通信状態での通信状態が正常ではなく、送受信テストがＮＧと判断され、Ｓ８１へ進む。Ｓ８１において、ＣＰＵ１６は、ネットワーク設定記憶領域４１に記憶されている子機ネットワークＩＤを、ＭＦＰネットワークＩＤ３００に戻す。よって、第２通信状態から第１通信状態へ戻される。Ｓ８３において、ＣＰＵ１６は、第１子機１および第２子機２に対して、通信状態変更指示を再度通知する。そしてＳ７１へ戻る。
【００５２】
一方、Ｓ７７において、所定時間内に返信信号が送信されてきた場合（Ｓ７７：ＹＥＳ）には、第２通信状態での通信が正常に行われていると判断される。よって、Ｓ７９へ進み、ＣＰＵ１６は、子機と無線通信制御回路１１との間での音声通信を開始する。
【００５３】
Ｓ１２４（図５）において、ＣＰＵ１６は、子機を用いた通話が終了したか否かを判断する。通話が終了していない場合（Ｓ１２４：ＮＯ）にはＳ１２４へ戻り待機し、通話が終了した場合（Ｓ１２４：ＹＥＳ）にはＳ１２５へ進む。Ｓ１２５において、ＣＰＵ１６は、通話終了連絡信号を第１子機１および第２子機２へ送信する。 
【００５４】
Ｓ１２６において、ＣＰＵ１６は、ルーティング装置をＭＦＰ１０へ戻す命令を、ルーティング装置とされている子機から受信したか否かを判断する。受信していない場合（Ｓ１２６：ＮＯ）にはＳ１２６へ戻り待機し、受信した場合（Ｓ１２６：ＹＥＳ）にはＳ１２７へ進む。
【００５５】
Ｓ１２７において、ＣＰＵ１６は、第１子機１および第２子機２に対し、ルーティング装置をＭＦＰ１０へ戻す旨の通信状態復帰指示を通知する。通信状態復帰指示は、例えば、無線通信制御回路１１からブロードキャストされるビーコンによって送信されるとしてもよい。これにより、第１子機１または第２子機２での音声通話が終了することを条件として、ルーティング装置を子機からＭＦＰ１０へ戻すことが可能となる。
【００５６】
Ｓ１２９において、ＣＰＵ１６は、第１子機１および第２子機２からルーティング装置の交替可の回答を受信したか否かを判断する。受信していない場合（Ｓ１２９：ＮＯ）にはＳ１２９へ戻り待機し、受信した場合（Ｓ１２９：ＹＥＳ）にはＳ１３１へ進む。Ｓ１３１において、ＣＰＵ１６は、ＭＦＰネットワークＩＤ３００をネットワークＩＤ記憶領域４０から読み出す。そして、ネットワーク設定記憶領域４１に記憶されている子機ネットワークＩＤを、ＭＦＰネットワークＩＤ３００に戻す。
【００５７】
Ｓ１３３において、ＣＰＵ１６は、第１子機１および第２子機２に対してテスト信号を送信する。Ｓ１３５において、ＣＰＵ１６は、第１子機１および第２子機２から所定時間内に返信信号が送信されてくるか否かを判断する。送信されてこない場合（Ｓ１３５：ＮＯ）にはＳ１３７へ進む。Ｓ１３７において、ＣＰＵ１６は、ネットワーク設定記憶領域４１にＭＦＰネットワークＩＤ３００を再度書き込む。Ｓ１３９において、ＣＰＵ１６は、第１子機１および第２子機２に対し、通信状態復帰指示を再通知する。そしてＳ１２９へ戻る。
【００５８】
一方、Ｓ１３５において、所定時間内に返信信号が送信されてきた場合（Ｓ１３５：ＹＥＳ）には、Ｓ１４３へ進む。Ｓ１４３において、ＣＰＵ１６は、データ受信フラグが「１」とされているか否かを判断する。データ受信フラグが「０」である場合（Ｓ１４３：ＮＯ）にはフローを終了し、データ受信フラグが「１」である場合（Ｓ１４３：ＹＥＳ）にはＳ１４５へ進む。Ｓ１４５において、ＣＰＵ１６は、ルーティング装置とされていた子機に対して、預かりデータ転送要求を送信する。Ｓ１４７において、ＣＰＵ１６は、ルーティング装置とされていた子機からデータ転送可の回答を入手することに応じて、預かりデータを子機から受信する。以上により、ＭＦＰ１０でのフローが終了する。
【００５９】
子機で行われる、第１通信状態と第２通信状態との切り替え動作を、図６ないし図８のフローを用いて説明する。例として、第１子機１での動作を説明する。Ｓ９５において、ＣＰＵ７６は、ＭＦＰ１０から通信状態変更指示を受信したか否かを判断する。受信していない場合（Ｓ９５：ＮＯ）にはＳ９５へ戻り待機し、受信した場合（Ｓ９５：ＹＥＳ）にはＳ９７へ進む。
【００６０】
Ｓ９７において、ＣＰＵ７６は、通信状態変更指示の内容が、自子機をルーティング装置にする旨の指示であるか否かを判断する。自子機をルーティング装置にしない場合（Ｓ９７：ＮＯ）には、Ｓ２０１（図８）へ進む。一方、自子機をルーティング装置にする場合（Ｓ９７：ＹＥＳ）には、Ｓ９９へ進む。
【００６１】
Ｓ９９において、ＣＰＵ７６は、ＭＦＰ１０から子機へのルーティング装置の交替が可能である旨を、ＭＦＰ１０へ送信する。Ｓ１０１において、ＣＰＵ７６は、ネットワークＩＤ記憶領域８４から読み出したＭＦＰネットワークＩＤ３００を、ネットワーク設定記憶領域８５に記憶させる。よって子機の識別子が、ＭＦＰネットワークＩＤ３００に変更される。
【００６２】
Ｓ１０３において、ＣＰＵ７６は、所定時間内にテスト信号をＭＦＰ１０から受信したか否かを判断する。受信していない場合（Ｓ１０３：ＮＯ）にはＳ１０５へ進む。Ｓ１０５においてＣＰＵ７６は、子機の識別子を、子機ネットワークＩＤに戻す。また、Ｓ１０５では、テスト信号に対する返信信号が、ＭＦＰ１０に返信されない。よって、テスト信号を受信していない旨をＭＦＰ１０へ報知することができる。Ｓ１０７において、ＣＰＵ７６は、ＭＦＰ１０から通信状態変更指示の再通知を受信すると、Ｓ１０１へ戻る。
【００６３】
一方、Ｓ１０３において、所定時間内にテスト信号を受信した場合（Ｓ１０３：ＹＥＳ）には、第２通信状態への移行が正常に行われたと判断され、Ｓ１０９へ進む。Ｓ１０９において、ＣＰＵ７６は、返信信号をＭＦＰ１０へ送信する。
【００６４】
Ｓ１１１において、ＣＰＵ７６は、モバイル機器４からデータ送信要求を受信したか否かを判断する。データ送信要求は、印刷データ等の各種のデータを、モバイル機器４から送信してよいか否かを問い合わせる動作である。第２通信状態では、子機の識別子にＭＦＰネットワークＩＤ３００が使用されている。よって、モバイル機器４がＭＦＰ１０へデータ送信要求を行ったと認識していても、実際には子機にデータ送信要求が行われることになる。また、モバイル機器４から送出されるデータの例としては、印刷部２６で印刷実行するための印刷データなどが挙げられる。データ送信要求を受信していない場合（Ｓ１１１：ＮＯ）にはＳ１２１へ進み、データ送信要求を受信した場合（Ｓ１１１：ＹＥＳ）にはＳ１１３へ進む。
【００６５】
Ｓ１１３において、ＣＰＵ７６は、モバイル機器４に対してデータ送信の実行を許可する旨を送信する。Ｓ１１５において、ＣＰＵ７６は、モバイル機器４から無線通信２１４を用いて送信されてくるデータを受信し、預かりデータとして記憶部８２に記憶する。これにより、第２通信状態の期間において、モバイル機器４からＭＦＰ１０に向けて送信された送信データを、ＭＦＰ１０に代理して子機で受信することができる。
【００６６】
Ｓ１１６において、ＣＰＵ７６は、設定記憶領域８３に記憶されているデータ受信フラグを「１」にする。データ受信フラグは、預かりデータが記憶部８２に記憶されているか否かを表す情報である。データ受信フラグの「１」は預かりデータが記憶されていることを表し、「０」は預かりデータが記憶されていないことを表している。Ｓ１１７において、ＣＰＵ７６は、データ受信が完了すると、モバイル機器４に対してＡＣＫ信号を返信する。Ｓ１１９において、ＣＰＵ７６は、モバイル機器４からの更なるデータ送信要求を受信したか否かを判断する。受信した場合（Ｓ１１９：ＹＥＳ）にはＳ１１３へ戻り、受信していない場合（Ｓ９５：ＮＯ）にはＳ１２１へ進む。Ｓ１２１において、ＣＰＵ７６は、ＭＦＰ１０から通話終了連絡信号を受信したか否かを判断する。受信していない場合（Ｓ１２１：ＮＯ）にはＳ１１９へ戻り、受信した場合（Ｓ１２１：ＹＥＳ）にはＳ１２３（図７）へ進む。
【００６７】
Ｓ１２３において、ＣＰＵ７６は、ルーティング装置をＭＦＰ１０へ戻す命令と、データ受信フラグを、ＭＦＰ１０に対して送信する。Ｓ１５７において、ＣＰＵ７６は、ＭＦＰ１０から通信状態復帰指示を受信したか否かを判断する。受信していない場合（Ｓ１５７：ＮＯ）にはＳ１５７へ戻り待機し、受信した場合（Ｓ１５７：ＹＥＳ）にはＳ１５８へ進む。Ｓ１５８において、ＣＰＵ７６は、子機からＭＦＰ１０へのルーティング装置の交替が可能である旨を、ＭＦＰ１０へ送信する。Ｓ１５９において、ＣＰＵ７６は、ネットワークＩＤ記憶領域８４から読み出した子機ネットワークＩＤを、ネットワーク設定記憶領域８５に記憶する。よって子機の識別子が、子機ネットワークＩＤに戻される。
【００６８】
Ｓ１６１において、ＣＰＵ７６は、所定時間内にテスト信号をＭＦＰ１０から受信したか否かを判断する。受信していない場合（Ｓ１６１：ＮＯ）にはＳ１６３へ進む。Ｓ１６３において、ＣＰＵ７６は、ネットワーク設定記憶領域８５に記憶されている子機ネットワークＩＤを、ＭＦＰネットワークＩＤ３００に変更する。よって子機の識別子が、ＭＦＰネットワークＩＤ３００に変更される。Ｓ１６５において、ＣＰＵ７６は、ＭＦＰ１０から通信状態変更指示の再通知を受信すると、Ｓ１５９へ戻る。
【００６９】
一方、Ｓ１６１において、所定時間内にテスト信号を受信した場合（Ｓ１６１：ＹＥＳ）には、第１通信状態への移行が正常に行われたと判断され、Ｓ１６７へ進む。Ｓ１６７において、ＣＰＵ７６は、返信信号をＭＦＰ１０へ送信する。
【００７０】
Ｓ１６９において、ＣＰＵ７６は、ＭＦＰ１０から預かりデータ転送要求を受信したか否かを判断する。受信していない場合（Ｓ１６９：ＮＯ）にはフローを終了し、受信した場合（Ｓ１６９：ＹＥＳ）にはＳ１７１へ進む。Ｓ１７１において、ＣＰＵ７６は、記憶部８２に保存されている預かりデータをＭＦＰ１０へ送信する。Ｓ１７３において、ＣＰＵ７６は、設定記憶領域８３に記憶されているデータ受信フラグを「０」にする。そしてフローを終了する。
【００７１】
また、第２通信において、通話を行う子機の動作を、図８のフローを用いて説明する。例として、第２子機２での動作を説明する。Ｓ２０１において、ＣＰＵ７６ａは、ＭＦＰ１０から子機へのルーティング装置の交替が可能である旨を、ＭＦＰ１０へ送信する。Ｓ２０３において、ＣＰＵ７６ａは、ネットワークＩＤ記憶領域８４ａから読み出した子機ネットワークＩＤを、通信先装置設定領域８６ａに記憶させる。これにより、子機の通信先が、ＭＦＰネットワークＩＤ３００が識別子に使用される装置から、子機ネットワークＩＤが識別子に使用される装置へ変更される。
【００７２】
Ｓ２０５において、ＣＰＵ７６ａは、所定時間内にテスト信号をＭＦＰ１０から受信したか否かを判断する。受信していない場合（Ｓ２０５：ＮＯ）にはＳ２０７へ進む。Ｓ２０７において、ＣＰＵ７６ａは、通信先装置設定領域８６ａに記憶されている子機ネットワークＩＤを、ＭＦＰネットワークＩＤ３００に戻す。Ｓ２０９において、ＣＰＵ７６ａは、ＭＦＰ１０から通信状態変更指示の再通知を受信すると、Ｓ２０３へ戻る。
【００７３】
一方、Ｓ２０５において、所定時間内にテスト信号を受信した場合（Ｓ２０５：ＹＥＳ）には、第２通信状態への移行が正常に行われたと判断され、Ｓ２１１へ進む。Ｓ２１１において、ＣＰＵ７６ａは、返信信号をＭＦＰ１０へ送信する。
【００７４】
Ｓ２１５において、ＣＰＵ７６ａは、自子機を用いて通話が開始されたか否かを判断する。開始されていない場合（Ｓ２１５：ＮＯ）にはＳ２１５へ戻り待機し、開始された場合（Ｓ２１５：ＹＥＳ）には通話処理を行う。Ｓ２１９において、ＣＰＵ７６ａは、ＭＦＰ１０から通話終了連絡信号を受信したか否かを判断する。受信していない場合（Ｓ２１９：ＮＯ）にはＳ２１９へ戻り通話処理を続行し、受信した場合（Ｓ２１９：ＹＥＳ）には通話処理を終了してＳ２２１へ進む。
【００７５】
Ｓ２２１において、ＣＰＵ７６ａは、ＭＦＰ１０から通信状態復帰指示を受信したか否かを判断する。受信していない場合（Ｓ２２１：ＮＯ）にはＳ２２１へ戻り待機し、受信した場合（Ｓ２２１：ＹＥＳ）にはＳ２２２へ進む。Ｓ２２２において、ＣＰＵ７６ａは、子機からＭＦＰ１０へのルーティング装置の交替が可能である旨を、ＭＦＰ１０へ送信する。Ｓ２２３において、ＣＰＵ７６ａは、ネットワークＩＤ記憶領域８４ａから読み出したＭＦＰネットワークＩＤ３００を、通信先装置設定領域８６ａに記憶させる。よって、子機の通信先が、ＭＦＰネットワークＩＤ３００が識別子に使用される装置へ戻される。
【００７６】
Ｓ２２５において、ＣＰＵ７６ａは、所定時間内にテスト信号をＭＦＰ１０から受信したか否かを判断する。受信していない場合（Ｓ２２５：ＮＯ）にはＳ２２７へ進む。Ｓ２２７においてＣＰＵ７６ａは、子機の通信先を、子機ネットワークＩＤが識別子に使用される装置へ再変更する。Ｓ２２９において、ＣＰＵ７６ａは、ＭＦＰ１０から通信状態復帰指示の再通知を受信すると、Ｓ２２２へ戻る。
【００７７】
一方、Ｓ２２５において、所定時間内にテスト信号を受信した場合（Ｓ２２５：ＹＥＳ）には、Ｓ２３１へ進む。Ｓ２３１において、ＣＰＵ７６ａは、返信信号をＭＦＰ１０へ送信する。そしてフローを終了する。
【００７８】
本実施形態に係る通信システム５の動作の具体例を、図１１および図１２のシーケンス図を用いて説明する。例として、第１子機１がルーティング装置となる場合を説明する。また第１子機１の代替権ビットが「１」である場合を説明する。また第２通信状態の期間中に、モバイル機器４からデータが送信されてくる場合を説明する。
【００７９】
電話回線網１００からＭＦＰ１０へ音声通話が着信すると（Ｓ５１：ＹＥＳ）、第１子機１および第２子機２が鳴動する（Ｓ５３）。ユーザが第２子機２で電話に出ると（Ｓ５５：ＮＯ）、第１子機１の代替権ビットが「１」であるため（Ｓ６５：ＹＥＳ）、第１子機１および第２子機２に対して、ルーティング装置をＭＦＰ１０から第１子機１へ変更する旨の通信状態変更指示が送信される（Ｓ６７）。
【００８０】
第１子機１は、通信状態変更指示を受信すると（Ｓ９５：ＹＥＳ）、自身をルーティング装置にする旨の指示であると判断し（Ｓ９７：ＹＥＳ）、ルーティング装置の交替が可能である旨をＭＦＰ１０へ送信する（Ｓ９９）。また第１子機１は、自身の識別子を、第１子機ネットワークＩＤ３０１からＭＦＰネットワークＩＤ３００へ変更する（Ｓ１０１）。
【００８１】
第２子機２は、通信状態変更指示を受信すると（Ｓ９５：ＹＥＳ）、他の子機をルーティング装置にする旨の指示であると判断し（Ｓ９７：ＮＯ）、ルーティング装置の交替が可能である旨をＭＦＰ１０へ送信する（Ｓ２０１）。また第２子機２は、第２子機２の通信先の装置を、ＭＦＰネットワークＩＤ３００が識別子に使用される装置から、第１子機ネットワークＩＤ３０１が識別子に使用される装置へ変更する（Ｓ２０３）。
【００８２】
ＭＦＰ１０は、第１子機１および第２子機２からルーティング装置の交替可の回答を受信すると（Ｓ７１：ＹＥＳ）、ＭＦＰ１０の識別子をＭＦＰネットワークＩＤ３００から第１子機ネットワークＩＤ３０１へ変更する（Ｓ７３）。これにより、第１通信状態（図９）から第２通信状態（図１０）へ切り替えられる。
【００８３】
ＭＦＰ１０は、第１子機１および第２子機２に対して、テスト信号を送信する（Ｓ７５）。第１子機１は、所定時間内にテスト信号を受信すると（Ｓ１０３：ＹＥＳ）、返信信号をＭＦＰ１０へ送信する（Ｓ１０９）。また第２子機２は、所定時間内にテスト信号を受信すると（Ｓ２０５：ＹＥＳ）、返信信号をＭＦＰ１０へ送信する（Ｓ２１１）。ＭＦＰ１０は、第１子機１および第２子機２から所定時間内に返信信号が返信されてくると（Ｓ７７：ＹＥＳ）、第２子機２を用いた音声通信を開始する（Ｓ７９）。
【００８４】
モバイル機器４から第１子機１に対してデータ送信要求が行われると（Ｓ１１１：ＹＥＳ）、第１子機１はモバイル機器４に対してデータ送信の実行を許可する旨を送信する（Ｓ１１３）。そして第１子機１は、モバイル機器４から送信されてくるデータを受信し、預かりデータとして保持する（Ｓ１１５）。また第１子機１は、データ受信フラグを「１」にすると共に（Ｓ１１６）、モバイル機器４に対してＡＣＫ信号を返信する（Ｓ１１７）。
【００８５】
ＭＦＰ１０は、音声通話が終了すると（Ｓ１２４：ＹＥＳ）、通話終了連絡信号を第１子機１および第２子機２へ送信する（Ｓ１２５）。第１子機１は、通話終了連絡信号を受信すると（Ｓ１２１：ＹＥＳ）、ルーティング装置をＭＦＰ１０へ戻す命令およびデータ受信フラグを、ＭＦＰ１０に対して送信する（Ｓ１２３）。ＭＦＰ１０は、ルーティング装置をＭＦＰ１０へ戻す命令を受信すると（Ｓ１２６：ＹＥＳ）、第１子機１および第２子機２に対し、通信状態復帰指示を送信する（Ｓ１２７）。
【００８６】
第１子機１は、通信状態復帰指示を受信すると（Ｓ１５７：ＹＥＳ）、ルーティング装置の交替が可能である旨をＭＦＰ１０へ送信する（Ｓ１５８）。また第１子機１は、第１子機１の識別子をＭＦＰネットワークＩＤ３００から第１子機ネットワークＩＤ３０１へ戻す（Ｓ１５９）。第２子機２は、通話終了連絡信号を受信し（Ｓ２１９：ＹＥＳ）、通信状態復帰指示を受信すると（Ｓ２２１：ＹＥＳ）、ルーティング装置の交替が可能である旨をＭＦＰ１０へ送信する（Ｓ２２２）。また第２子機２は、第２子機２の通信先の装置を、第１子機ネットワークＩＤ３０１が識別子に使用される装置から、ＭＦＰネットワークＩＤ３００が識別子に使用される装置へ戻す。（Ｓ２２３）。
【００８７】
ＭＦＰ１０は、第１子機１および第２子機２からルーティング装置の交替可の回答を受信すると（Ｓ１２９：Ｙ）、ＭＦＰ１０の識別子を第１子機ネットワークＩＤ３０１からＭＦＰネットワークＩＤ３００へ戻す（Ｓ１３１）。これにより、第２通信状態（図１０）から第１通信状態（図９）へ切り替えられる。
【００８８】
ＭＦＰ１０は、第１子機１および第２子機２に対して、テスト信号を送信する（Ｓ１３３）。第１子機１は、所定時間内にテスト信号を受信すると（Ｓ１６１：ＹＥＳ）、返信信号をＭＦＰ１０へ送信する（Ｓ１６７）。また第２子機２は、所定時間内にテスト信号を受信すると（Ｓ２２５：ＹＥＳ）、返信信号をＭＦＰ１０へ送信する（Ｓ２３１）。ＭＦＰ１０は、第１子機１および第２子機２から所定時間内に返信信号が返信されてくると（Ｓ１３５：ＹＥＳ）、データ受信フラグが「１」とされていると判断し（Ｓ１４３：ＹＥＳ）、第１子機１に対して預かりデータ転送要求を送信する（Ｓ１４５）。第１子機１は、預かりデータ転送要求を受信すると（Ｓ１６９：ＹＥＳ）、預かりデータをＭＦＰ１０へ送信し（Ｓ１７１）、データ受信フラグを「０」にする（Ｓ１７３）。ＭＦＰ１０は、預かりデータを子機から受信する（Ｓ１４７）。以上により、通信システム５の動作が終了する。
【００８９】
本願に係る通信システム５の効果を説明する。音声通信はリアルタイム性が要求されるため、データ通信に比して負荷が重い通信である。よって、第１通信状態（図９）において、第２子機２との音声通信と、モバイル機器４とのデータ通信とを同時に行うと、無線通信２１２および２１３の負荷が重くなるため、音声が途切れるなどの通信エラーが発生したり、通信速度が低下する場合がある。しかし、本願の通信システム５では、電話回線網１００からの着信に対して音声通信を開始することを条件として、第１通信状態から第２通信状態へ移行する。第２通信状態（図１０）では、第２子機２とＭＦＰ１０の無線通信制御回路１１との間で、無線通信２１２による音声通信が行なわれる。また、第１子機１と４モバイル機器４との間で、無線通信２１４によるデータ通信が行われる。よって、音声通信とデータ通信とを切り離すことができ、ＭＦＰ１０の無線通信制御回路１１の負荷を減らすことができるため、通信エラー等の発生を防止できる。
【００９０】
また、本願の通信システム５では、第１通信状態と第２通信状態との間の切り替え時に、モバイル機器４に対して、「通信先の交替が発生すること」、「新しい通信先」、「通信先の交替が発生するタイミング」等の情報を報知する必要がない。よって、通信状態の切り替えのための特別な処理をモバイル機器４に行なわせることがないため、切り替え制御を簡素化することができる。これにより、切り替え動作の時間が長くなることや、切り替え処理の負担が増大することを防止することが可能となる。
【００９１】
また本願の通信システム５では、第２通信状態の期間中において、第１子機１は、モバイル機器４から送信されてきた送信データを、ＭＦＰ１０に代理して受信して保持する。そして、通信状態が第１通信状態へ戻されることに応じて、保持していたデータをＭＦＰ１０へ送信する。これにより、モバイル機器４から送信された送信データが何れの装置でも受信されずに送信エラーとなることで、無駄な再送の繰り返し処理が実行されてしまう事態を防止することができる。
【００９２】
また本願の通信システム５では、第２通信状態への移行ができない場合を、テスト信号により検出することができる。そして第２通信状態での通信に障害が発生した場合には、第１通信状態へ戻すというフェールセーフ設計を採用している。これにより、通信システム５の信頼性を確保することができる。
【００９３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。上記の実施例の変形例を以下に列挙する。
【００９４】
また、Ｓ１１１（図６）において、データ送信要求を送信してくる装置は、モバイル機器４に限られない。通信システム５に接続されている装置であれば、何れの装置からでもデータ送信要求を送信することが可能である。例えば、ＰＣ５２からデータ送信要求が送信されるとしてもよい。
【００９５】
ＭＦＰ１０のネットワークＩＤ記憶領域４０や、第１子機１のネットワークＩＤ記憶領域８４や、第２子機２のネットワークＩＤ記憶領域８４ａには、ＭＦＰネットワークＩＤ３００、第１子機ネットワークＩＤ３０１、第２子機ネットワークＩＤ３０２が記憶される。これらの情報を記憶するタイミングは、ＭＦＰ１０、第１子機１、第２子機２がセットで工場出荷されるタイミングであってもよい。また、ユーザが子機を追加購入して通信システム５に接続したタイミングであってもよい。例えば、ＭＦＰ１０および第１子機１を備えた通信システムに、第２子機２を追加する場合を説明する。この場合、第２子機ネットワークＩＤ３０２が第２子機２からＭＦＰ１０に通知され、ネットワークＩＤ記憶領域４０に記憶される。また、第２子機ネットワークＩＤ３０２が第２子機２から第１子機１に通知され、ネットワークＩＤ記憶領域８４に記憶される。また、ＭＦＰネットワークＩＤ３００がＭＦＰ１０から第２子機２へ通知され、ネットワークＩＤ記憶領域８４ａに記憶される。また、第１子機ネットワークＩＤ３０１が第１子機１から第２子機２へ通知され、ネットワークＩＤ記憶領域８４ａに記憶される。なお、ＭＦＰネットワークＩＤ３００等を通信システム内で相互に通知する方法は、ビーコンを用いた方法が挙げられる。
【００９６】
なお、ＭＦＰ１０の構成を、通信部と多機能部とに物理的に分離した構成としてもよい。通信部は、ＭＦＰ１０から、電話回線網１００を使用した通信制御を行う部分を抜き出した構成を有する。また多機能部は、通信部以外のスキャナ機能や印刷機能を有する部分である。そして、通信部によってＷＰＡＮ２０１およびＷＬＡＮ２０２が形成されるとしてもよい。また、ＷＬＡＮ２０２を用いて通信部と多機能部とが通信を行うとしてもよい。これにより、通信部と多機能部とによって、分散構成多機能周辺装置が形成される。よって、電話回線網１００のコネクタ部に体積の大きいＭＦＰ１０を直接に接続する必要がないため、レイアウト性を高めることができ、ユーザの利便性を高めることができる。
【００９７】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００９８】
なお、電話回線網１００は通信回線の一例である。ＭＦＰ１０は通信装置の一例である。第１子機１は第１音声通話機器の一例である。第２子機２は第２音声通話機器の一例である。モバイル機器４は外部装置の一例である。無線通信制御回路１１は無線通信部の一例である。ＭＦＰネットワークＩＤ３００は通信装置ネットワークＩＤの一例である。第１子機ネットワークＩＤ３０１は第１音声通話機器ネットワークＩＤの一例である。記憶部３２は通信装置記憶部の一例である。記憶部８２は第１音声通話機器記憶部の一例である。ＣＰＵ１６は通信装置制御部の一例である。ＣＰＵ７６は第１音声通話機器制御部の一例である。ＣＰＵ７６ａは第２音声通話機器制御部の一例である。記憶部８２ａは第２音声通話機器記憶部の一例である。ＡＰ５１は電波中継機器の一例である。代替権ビットは通信状態変更許可信号の一例である。
【００９９】
また、Ｓ７３、Ｓ１３１、Ｓ６７、Ｓ７５、Ｓ８１を実行する制御部は通信装置制御部の一例である。Ｓ１０１、Ｓ１５９、Ｓ３７を実行する制御部は第１音声通話機器制御部の一例である。Ｓ２０３、Ｓ２２３、Ｓ２１１を実行する制御部は第２音声通話機器制御部の一例である。
【符号の説明】
【０１００】
１：第１子機、２：第２子機、４：モバイル機器、５：通信システム、１０：多機能機、１１：無線通信制御回路、３００：ＭＦＰネットワークＩＤ、３０１：第１子機ネットワークＩＤ、３２および８２および８２ａ：記憶部、１６および７６および７６ａ：ＣＰＵ、５１：ＡＰ
【図１】
2011217063.tif 000003
【図２】
2011217063.tif 000004
【図３】
2011217063.tif 000005
【図４】
2011217063.tif 000006
【図５】
2011217063.tif 000007
【図６】
2011217063.tif 000008
【図７】
2011217063.tif 000009
【図８】
2011217063.tif 000010
【図９】
2011217063.tif 000011
【図１０】
2011217063.tif 000012
【図１１】
2011217063.tif 000013
【図１２】
2011217063.tif 000014